(57)【要約】      （修正有）【課題】カシメ加工から起因するアウターチューブのキズを発生さず、また施工中及び施工後も挫屈を起こさないレリースワイヤを提供する。【解決手段】アウターチューブ６の両端部、もしくは一方の端部に設けられ、アウターチューブ６と遠隔操作式排水栓装置の他の部材との接続を行う合成樹脂製のアウターエンド１０と、アウターエンド１０を備えた側の端部に、鍔形状で外側方向に突出して構成されるフランジ部７と、をそれぞれ構成し、アウターエンド１０をレリースワイヤ５に対してインサート成形した。【選択図】図３
2007204915.tif 000002
【特許請求の範囲】
【請求項１】
底部に排水口１を開口し、排水口１に弁体３を備える槽体２と、
排水口１の弁体３の開口／閉口を遠隔にて操作する操作部４と、
筒状にして側面方向に可撓性を備え、軸方向に剛性を備えたアウターチューブ６、
該アウターチューブ６内に摺動自在に収納される、側面方向に可撓性を備え、軸方向に剛性を備えたインナーワイヤ８、
から構成された、操作部４と排水口１を連絡するように配置されたレリースワイヤ５と、
から構成される遠隔操作式排水栓装置のレリースワイヤ５において、
アウターチューブ６の両端部、もしくは一方の端部に設けられ、アウターチューブ６と遠隔操作式排水栓装置の他の部材との接続を行う合成樹脂製のアウターエンド１０と、
少なくともアウターチューブ６のアウターエンド１０を備えた側の端部に、鍔形状で外側方向に突出して構成されるフランジ部７と、
をそれぞれ構成すると共に、
アウターエンド１０を前記レリースワイヤ５に対してインサート成形したことを特徴とする遠隔操作式排水栓装置のレリースワイヤ。
【請求項２】
前記アウターエンド１０に、インサート成形した結果内部に形成される収納部１１を構成し、当該収納部１１に、アウターチューブ６のフランジ部７を収納させ、且つ、アウターチューブ６がアウターエンド１０から抜け出さないように係止させるための係止部１２を、内面方向へ向けて構成したことを特徴とする前記請求項１に記載の遠隔操作式排水栓装置のレリースワイヤ。
【請求項３】
前記アウターエンド１０を、少なくとも遠隔操作式排水栓装置の排水口１側に構成すると共に、
アウターエンド１０に接続される、筒状であってその内部にインナーワイヤ８を挿通させつつ、インナーワイヤ８のガイドを行う、ワイヤーカバー１４を構成したことを特徴とする前記請求項１又は請求項２に記載の遠隔操作式排水栓装置のレリースワイヤ。
【請求項４】
前記アウターチューブ６のフランジ部７を、アウターチューブ６と別体に構成して、アウターチューブ６に圧入して構成することを特徴とする前記請求項１乃至請求項３のいずれか一つに記載の遠隔操作式排水栓装置のレリースワイヤ。
【請求項５】
前記アウターチューブ６のフランジ部７を、アウターチューブ６と一体的に構成したことを特徴とする前記請求項１乃至請求項３のいずれか一つに記載の遠隔操作式排水栓装置のレリースワイヤ。
【請求項６】
前記アウターチューブ６をフッ素樹脂から構成したことを特徴とする前記請求項１乃至請求項５のいずれか一つに記載の遠隔操作式排水栓装置のレリースワイヤ。
【請求項７】
前記アウターエンド１０とアウターチューブ６のフランジ部７のみをインサート成形時に接着させたことを特徴とする前記請求項１乃至請求項４又は請求項６のいずれか一つに記載の遠隔操作式排水栓装置のレリースワイヤ。
【請求項８】
アウターエンド１０のインサート成形時に樹脂をアウターチューブ６に食い込むように前記アウターエンド１０の係止部１２を構成したことを特徴とする前記請求項１乃至請求項７のいずれか一つに記載の遠隔操作式排水栓装置のレリースワイヤ。
【請求項９】
前記インナーワイヤ８の排水口１側端部に、ワイヤーカバー１４内に収容される硬質のロッド部９を構成したことを特徴とする前記請求項１乃至請求項８のいずれか一つに記載の遠隔操作式排水栓装置のレリースワイヤ。
【請求項１０】
前記ワイヤーカバー１４、フランジ部７、ロッド部９のいずれか一つ若しくは全てを合成樹脂により構成したことを特徴とする前記請求項１乃至請求項９のいずれか一つに記載の遠隔操作式排水栓装置のレリースワイヤ。
【請求項１１】
前記レリースワイヤ５のアウターチューブ６に一体的もしくは別体に構成した、レリースワイヤ５の屈曲を規制する屈曲保護部１６を構成したことを特徴とする前記請求項１乃至請求項１０のいずれか一つに記載の遠隔操作式排水栓装置のレリースワイヤ。
【発明の詳細な説明】
【技術分野】
【０００１】
本発明は、遠隔操作式排水栓装置のレリースワイヤに関するものである。
【背景技術】
【０００２】
従来よく知られた、遠隔操作式排水栓装置としては、例えば図８に図示した遠隔操作式排水栓装置がある。以下に図８に図示した遠隔操作式排水栓装置の従来例を、図面を参照しつつ説明する。
図８に図示した従来例の遠隔操作式排水栓装置のレリースワイヤは、以下に記載した排水栓、レリースワイヤ、操作部、保持機構部、エルボ部材、等より構成されてなる。
排水栓は円筒形状にしてその内部に排水を流すための排水口を備えており、洗面ボウルや浴槽などの槽体の底面に備えられる。
エルボ部材は槽体の底面などに設けられた開口を介して、排水栓に接続される部材であって、排水口からの排水を下水側に排出するための排出口と、後述するレリースワイヤを接続するための接続部を備えて成る。
弁体は上記排水栓の排水口を閉口する部材であって、後述するレリースワイヤによって上下動することによって、排水口を開口／閉口する。
取付部は上記排水栓の排水口内に配置固定される部材であって、下端に後述するレリースワイヤのアウターチューブ端部が接続されると共に、その内部に、貫通した状態でインナーワイヤの端部が配置される。
操作部は洗面台や浴槽などのカウンターなど、任意の部分に配置される部材であって、備えられた操作ボタンなどを押し込む事で保持機構部（図示せず）を動作させ、排水口を開口した状態に固定／固定を解除して排水口を閉口などの動作を行う部材である。
レリースワイヤは、図９に示したように、アウターチューブ、インナーワイヤ、アウターエンド、回転リング、から構成される。
また、詳細には図１０に示したように、アウターチューブは、円筒状にして側面方向に可撓性を備え、軸方向に剛性を備える。また、アウターチューブはフッ素樹脂（具体的には４フッ化エチレン）から構成され、アウターチューブの端部には、外側方向に突出して構成されるフランジ部が一体的に構成される。
インナーワイヤは、前記アウターチューブ内に摺動自在に収納され、側面方向に可撓性を備え、軸方向に剛性を備えた金属のスプリング形状に構成されたインナーワイヤと、から構成されて成る。インナーワイヤの一端は前述のように取付部の下端に螺合や係合などの方法で接続され、他端は操作部に接続される。インナーワイヤの両端には、形状に相違はあるものの、他の部材との接続を行うために棒状の金属材から成るロッド部をカシメ固定して備えてなる。
アウターエンドは、金属製であって、内部に前記アウターチューブのフランジ部を被嵌させて内部に収納する。
回転リングは、金属製の円筒形状のリングであって、一方の端部に鋭く尖った先端部を構成する。そして、前記アウターチューブのフランジ部の外周とアウターエンド間内に配置するように構成される。また、先端部はアウターチューブのフランジ部に先端部を当接させる。
そして、アウターチューブがアウターエンドから抜け出さないように、アウターエンドと回転リングをカシメ固定する。
アウターエンドと回転リングをカシメ固定したことで、アウターエンドに対し固定されている部分は回転リングのみなので、アウターチューブはアウターエンドに対し回転自在に接続されることが可能となる。そして、アウターチューブに強い引っ張り力が加わったときは、回転リングの先端部がアウターチューブのフランジ部に強く食い込み、アウターチューブがアウターエンドから引き抜かれてしまうようなことがない。
またアウターチューブは通常フッ素樹脂等の軟質樹脂から成り、アウターチューブの端部に、取付部と接続するための金属製の接続金具を備えて成る。この端部の接続については、図１０に示すようにカシメ固定される。
チューブ管は可撓性を備えた中空パイプ状の部材であって、一端はエルボ部材の接続部に、他端は操作部に、それぞれ接続され、その内部にレリースワイヤを挿通させることで、レリースワイヤのガイドとして機能する。
【０００３】
上記した遠隔操作式排水栓装置は以下のようにして洗面台や浴槽など、槽体を備えた排水機器に施工される。
槽体の底面に設けた開口を介して、排水栓とエルボ部材を接続し、槽体底面に固定する。次に操作部を槽体のカウンターなど槽体の近傍にとりつけ、更に操作部とエルボ部材の接続部との間を、チューブ管を介して接続する。
次にレリースワイヤの一端を保持機構部に接続した上で、他端側を操作部からチューブ管内を挿通させ、エルボ部材内に到達させる。この際、あらかじめ長さを調節しておき、レリースワイヤの一端がエルボ部材内に到達した時、操作部内に保持機構部が収納固定されるようにする。
次にレリースワイヤの接続金具を排水栓の排水口内から引き上げ、ワイヤカバーを利用してアウターチューブの端部を取付部の下端に接続固定すると共に、インナーワイヤを取付部の内部に挿通させる。
更に取付部を排水栓内に固定させ、弁体をインナーワイヤ端部に接続固定して遠隔操作式排水栓装置の施工が完了する。
【０００４】
このようにして施工された遠隔操作式排水栓装置のレリースワイヤは以下のように動作する。
まず操作部に操作を加えて、排水栓が排水口を閉口した状態とする。この時、操作部に設けられた保持機構部はレリースワイヤ中のインナーワイヤの動作を固定していないため、弁体は自重によって降下し、排水口を閉口している。
次に操作ボタンに操作を加えて保持機構部を作動させ、インナーワイヤが弁体の方に突出した状態で固定させると、インナーワイヤが突出したことで、先端のロッド部が上昇し、その先端に接続されている弁体を持ち上げ、排水口が開口される。
この状態より再度操作ボタンに操作を加えて、操作部内の保持機構部を作動させ、インナーワイヤの固定を解除すると、弁体の自重が働いてインナーワイヤが後退し、弁体が降下して排水口が閉口される。
以後この操作を繰り返すことで、排水口の開閉を操作部によって遠隔的且つ自在に操作することができる。
【０００５】
【特許文献１】特開２００２−８８８５３号公報
【特許文献２】特開平０８−１７７１００号公報
【発明の開示】
【発明が解決しようとする課題】
【０００６】
従来例のような遠隔操作式排水栓装置のレリースワイヤには、以下のような問題点があった。
アウターエンドを金属製としている為、カシメ加工が必須となるが、このカシメ加工は金属を内方向に食い込ませるようにカシメるため、アウターチューブに直接的にカシメると、鋭利な金属がアウターチューブに食い込むため、アウターチューブにキズがついたり、最悪の場合破れが発生してしまう。このようなことを防止するために、前記したような金属製の回転リングを構成し、アウターチューブが回転可能、且つアウターチューブにキズがつかない、という効果を奏する。しかしながら、このような金属製のアウターエンドや回転リングを使用すると、素材を金属としているため、部材単価が効果となってしまう、といった問題点があった。
また、金属製のアウターエンドや回転リングは、錆などが発生してしまう原因となってしまっていた。
【０００７】
レリースワイヤが取り付けられる遠隔操作式排水栓装置は、洗面台や浴槽に取り付けられることが多いが、このような施工箇所であると、配管施工する際に、レリースワイヤに強い引っ張りや屈曲、捩れなどの応力が加わることが多い。そして、施工時に、応力が加わることによりレリースワイヤが挫屈し、弁体の開口／閉口が正常に作動しないことが多々あった。
【０００８】
従って、本発明の遠隔操作式排水栓装置のレリースワイヤは、以下の課題を解決するために発明された。
１．遠隔操作式排水栓装置のレリースワイヤにおける接続部材であるアウターエンドに錆が発生して性能が劣化することを防止する。
２．素材が金属のため、部材単価が高騰していた問題を、合成樹脂製にすることで、部材単価を安価とする。
３．カシメ加工から起因するアウターチューブのキズを発生させない。
４．施工後若しくは施工中に、レリースワイヤに捻れが発生しても、レリースワイヤが挫屈しない。
５．施工後もしくは施工中に、弁体の下部に位置するレリースワイヤの曲げによる挫屈を防止する。
【課題を解決するための手段】
【０００９】
本発明の請求項１に記載の遠隔操作式排水栓装置のレリースワイヤは、底部に排水口１を開口し、排水口１に弁体３を備える槽体２と、排水口１の弁体３の開口／閉口を遠隔にて操作する操作部４と、筒状にして側面方向に可撓性を備え、軸方向に剛性を備えたアウターチューブ６、該アウターチューブ６内に摺動自在に収納される、側面方向に可撓性を備え、軸方向に剛性を備えたインナーワイヤ８、から構成された、操作部４と排水口１を連絡するように配置されたレリースワイヤ５と、から構成される遠隔操作式排水栓装置のレリースワイヤ５において、アウターチューブ６の両端部、もしくは一方の端部に設けられ、アウターチューブ６と遠隔操作式排水栓装置の他の部材との接続を行う合成樹脂製のアウターエンド１０と、少なくともアウターチューブ６のアウターエンド１０を備えた側の端部に、鍔形状で外側方向に突出して構成されるフランジ部７と、をそれぞれ構成すると共に、アウターエンド１０を前記レリースワイヤ５に対してインサート成形したことを特徴とする遠隔操作式排水栓装置のレリースワイヤである。
【００１０】
本発明の請求項２に記載の遠隔操作式排水栓装置のレリースワイヤは、前記アウターエンド１０を、インサート成形した結果内部に形成される収納部１１を構成し、当該収納部１１に、アウターチューブ６のフランジ部７を収納させ、且つ、アウターチューブ６がアウターエンド１０から抜け出さないように係止させるための係止部１２を、内面方向へ向けて構成したことを特徴とする前記段落０００９に記載の遠隔操作式排水栓装置のレリースワイヤである。
【００１１】
本発明の請求項３に記載の遠隔操作式排水栓装置のレリースワイヤは、前記アウターエンド１０を、少なくとも遠隔操作式排水栓装置の排水口１側に構成すると共に、アウターエンド１０に接続される、筒状であってその内部にインナーワイヤ８を挿通させつつ、インナーワイヤ８のガイドを行う、ワイヤーカバー１４を構成したことを特徴とする前記段落０００９又は段落００１０に記載の遠隔操作式排水栓装置のレリースワイヤである。
【００１２】
本発明の請求項４に記載の遠隔操作式排水栓装置のレリースワイヤは、前記アウターチューブ６のフランジ部７を、アウターチューブ６と別体に構成して、アウターチューブ６に圧入して構成することを特徴とする前記段落０００９乃至段落００１１のいずれか一つに記載の遠隔操作式排水栓装置のレリースワイヤである。
【００１３】
本発明の請求項５に記載の遠隔操作式排水栓装置のレリースワイヤは、前記アウターチューブ６のフランジ部７を、アウターチューブ６と一体的に構成したことを特徴とする前記段落０００９乃至段落００１１のいずれか一つに記載の遠隔操作式排水栓装置のレリースワイヤである。
【００１４】
本発明の請求項６に記載の遠隔操作式排水栓装置のレリースワイヤは、前記アウターチューブ６をフッ素樹脂から構成したことを特徴とする前記段落０００９乃至段落００１３のいずれか一つに記載の遠隔操作式排水栓装置のレリースワイヤである。
【００１５】
本発明の請求項７に記載の遠隔操作式排水栓装置のレリースワイヤは、前記アウターエンド１０とアウターチューブ６のフランジ部７のみをインサート成形時に接着させたことを特徴とする前記段落０００９乃至段落００１２又は段落００１４のいずれか一つに記載の遠隔操作式排水栓装置のレリースワイヤである。
【００１６】
本発明の請求項８に記載の遠隔操作式排水栓装置のレリースワイヤは、アウターエンド１０のインサート成形時に樹脂をアウターチューブ６に食い込むことで前記アウターエンド１０の係止部１２を構成したことを特徴とする前記段落０００９乃至段落００１５のいずれか一つに記載の遠隔操作式排水栓装置のレリースワイヤである。
【００１７】
本発明の請求項９に記載の遠隔操作式排水栓装置のレリースワイヤは、前記インナーワイヤ８の排水口１側端部に、ワイヤーカバー１４内に収容される硬質のロッド部９を構成したことを特徴とする前記段落０００９乃至段落００１６のいずれか一つに記載の遠隔操作式排水栓装置のレリースワイヤである。
【００１８】
本発明の請求項１０に記載の遠隔操作式排水栓装置のレリースワイヤは、前記ワイヤーカバー１４、フランジ部７、ロッド部９のいずれか一つ若しくは全てを合成樹脂により構成したことを特徴とする前記段落０００９乃至段落００１７のいずれか一つに記載の遠隔操作式排水栓装置のレリースワイヤである。
【００１９】
本発明の請求項１１に記載の遠隔操作式排水栓装置のレリースワイヤは、前記レリースワイヤ５のアウターチューブ６に一体的もしくは別体に構成した、レリースワイヤ５の屈曲を規制する屈曲保護部１６を構成したことを特徴とする前記段落０００９乃至段落００１８のいずれか一つに記載の遠隔操作式排水栓装置のレリースワイヤである。
【発明の効果】
【００２０】
本発明の遠隔操作式排水栓装置のレリースワイヤは、以下の効果を奏する。
請求項１に記載の本発明は、アウターエンド１０を合成樹脂製とし、アウターエンド１０をレリースワイヤ５に対してインサート成形したことから、アウターエンド１０を合成樹脂製とすることができ、さらには、アウターチューブ６とアウターエンド１０の接続を、金属のカシメ工程のようにキズをつけたりすることなく接続することが出来る。そして、アウターエンド１０を合成樹脂製としたので、従来の金属製と比較して錆が発生しないので、錆による劣化を防止することができる。
請求項２に記載の本発明は、アウターエンド１０を、インサート成形した結果内部に形成される収納部１１を構成し、当該収納部１１に、アウターチューブ６のフランジ部７を収納させ、且つ、アウターチューブ６がアウターエンド１０から抜け出さないように係止させるための係止部１２を、内面方向へ向けて構成したことから、アウターチューブ６がアウターエンド１０からより強固に接続され、アウターエンド１０からアウターチューブ６が抜け出てしまうようなことが無くなる。
請求項３に記載の本発明は、筒状であってその内部にインナーワイヤ８を挿通させつつ、インナーワイヤ８のガイドを構成したことにより、インナーワイヤ８がアウターチューブ６に対し進行した際に、外部に露出することがないので、インナーワイヤ８のガイドとして作用し、レリースワイヤ５の挫屈を防止することができる。
請求項４に記載の本発明は、アウターチューブ６のフランジ部７を、アウターチューブ６と別体に構成して、アウターチューブ６に圧入して構成したことから、アウターエンド１０とアウターチューブ６がインサート成形で接着できない材質同士でも、フランジ部７をアウターエンド１０とインサート成形で接着できる材質とすれば、両者は接着することができるようになる。
請求項５に記載の本発明は、アウターチューブ６のフランジ部７を、アウターチューブ６と一体的に構成したことから、フランジ部７を圧入する、といった工程が減少することから作業工程数が減少し、作業点数源によるコストダウンが達成する。
請求項６に記載の本発明は、アウターチューブ６をフッ素樹脂から構成したことから、アウターチューブ６を樹脂製とすることができる。
請求項７に記載の本発明は、アウターエンド１０とアウターチューブ６のフランジ部７のみをインサート成形時に接着させたことから、アウターチューブ６がアウターエンド１０に対し接着されないので、アウターチューブ６がアウターエンド１０に対し回転するので、レリースワイヤ５の施工中や施工後の捻れの応力が発生しても、アウターチューブ６が回転することでレリースワイヤ５に無理な応力が発生することがない。
請求項８に記載の本発明は、アウターエンド１０のインサート成形時に樹脂をアウターチューブ６に食い込むことで前記アウターエンド１０の係止部１２を構成したことから、より強固にアウターエンド１０からのアウターチューブ６の抜けを防止することが出来る。
請求項９に記載の本発明は、インナーワイヤ８の排水口１側端部に、ワイヤーカバー１４内に収容される硬質のロッド部９を構成したことから、弁体３とロッド部９を直結的に連結できるので、円滑に作動すると共に、近年の傾向である低床化に対応することが出来る。
請求項１０に記載の本発明は、ワイヤーカバー１４、フランジ部７、ロッド部９のいずれか一つ若しくは全てを合成樹脂により構成したことから、金属から発生する錆を防止し、金属のカシメ工程を減らすことや、素材変更によるコストダウンを図ることができる。
請求項１１に記載の本発明は、レリースワイヤ５のアウターチューブ６に一体的もしくは別体に構成した、レリースワイヤ５の屈曲を規制する屈曲保護部１６を構成したことから、弁体３の直下部分の、レリースワイヤ５の屈曲角度が一番鋭角となる部分でも、レリースワイヤ５が挫屈しない程度に屈曲角度を規制するので、レリースワイヤ５の屈曲を抑制することができ、レリースワイヤ５の挫屈を防止することができる。
【実施例】
【００２１】
以下に本発明の実施例を、図面を参照しつつ説明する。
図１乃至図５に図示した遠隔操作式排水栓装置のレリースワイヤ５は、以下に記載した排水栓１８、レリースワイヤ５、操作部４、保持機構部、エルボ部材１９、等より構成されてなる。
排水栓１８は円筒形状にしてその内部に排水を流すための排水口１を備えており、洗面ボウルや浴槽などの槽体２の底面に備えられる。
エルボ部材１９は槽体２の底面などに設けられた開口を介して、排水栓１８に接続される部材であって、排水口１からの排水を下水側に排出するための排出口と、後述するレリースワイヤ５を接続するための接続部を備えて成る。
弁体３は上記排水栓１８の排水口１を閉口する部材であって、後述するレリースワイヤ５によって上下動することによって、排水口１を開口／閉口する。
取付部１７は上記排水栓１８の排水口１内に配置固定される部材であって、下端に後述するレリースワイヤ５のアウターチューブ６端部が接続されると共に、その内部に、貫通した状態でインナーワイヤ８の端部が配置される。
操作部４は洗面台や浴槽などのカウンターなど、任意の部分に配置される部材であって、備えられた操作ボタンなどを押し込む事で保持機構部（図示せず）を動作させ、排水口１を開口した状態に固定／固定を解除して排水口１を閉口などの動作を行う部材である。
レリースワイヤ５は、図２乃至図３に示したように、アウターチューブ６、インナーワイヤ８、アウターエンド１０、ワイヤーカバー１４、ロッド部９から構成される。
アウターチューブ６は、円筒状にして側面方向に可撓性を備え、軸方向に剛性を備える。また、アウターチューブ６はフッ素樹脂（具体的には４フッ化エチレン）から構成され、アウターチューブ６の端部には、外側方向に突出して構成される、合成樹脂製のフランジ部７が圧入して構成される。このようにフランジ部７を圧入すると、アウターチューブ６が圧入分拡径する。
インナーワイヤ８は、前記アウターチューブ６内に摺動自在に収納され、側面方向に可撓性を備え、軸方向に剛性を備えた金属のスプリング形状に構成されて成る。インナーワイヤ８の一端は前述のように取付部１７の下端に螺合や係合などの方法で接続され、他端は操作部４に接続される。インナーワイヤ８の両端には、形状に相違はあるものの、他の部材との接続を行うために棒状の合成樹脂から成るロッド部９を固定して備えてなる。
アウターエンド１０は、前記アウターチューブ６のフランジ部７の外周に、合成樹脂材でインサート成形されて構成される。このアウターエンド１０をアウターチューブ６にインサート成形した結果、フランジ部７とアウターチューブ６を取り囲むように収納された空間が形成される。当該収納された空間を本明細書では便宜上収納部１１と記載する。
また、アウターチューブ６はフランジ部７を圧入によって取り付けているため、アウターチューブ６の端部がフランジ部７の圧入分拡径する構成となる。このとき、インサート成形されたアウターエンド１０は、収納部１１がアウターチューブ６の端部及びフランジ部７の外縁を取り囲むように形成される。そして、アウターチューブ６のフランジ部７の圧入により形成された拡径部分の外周及び径が通常部分の外周にもアウターエンド１０が形成されるが、このアウターチューブ６の拡径部分と径が通常部分の段差に形成されるアウターエンド１０の段部を係止部１２として構成し、当該係止部１２は、アウターチューブ６がアウターエンド１０から抜き出すことを防止する。
このようなインサート成形をすることで、アウターチューブ６のフランジ部７とアウターエンド１０は接着固定される。そして、アウターチューブ６は４フッ化エチレンからなるフッ素樹脂から構成されていないためアウターエンド１０と接着固定されず、アウターチューブ６はアウターエンド１０に対し回転するように接続固定される。そして、アウターチューブ６はアウターエンド１０の係止部１２に係止されているため、アウターチューブ６がアウターエンド１０から軸方向に引き抜かれることはない。
ワイヤーカバー１４は、円筒状であって、その内部にインナーワイヤ８が摺動自在に挿通するように配置されてインナーワイヤ８のガイドの機能として作用される。また、その端部内周には前記アウターエンド１０の雄ねじ１３と螺合するための雌ねじ１５を構成する。そして、後記のロッド部９も移動可能に内部に収納する。
ロッド部９は、合成樹脂製であって、前記インナーワイヤ８端部に接続固定され、前記弁体３と脱着可能に取り付けられる。また、通常時は前記ワイヤーカバー１４内に収納され、インナーワイヤ８の進退に併せて進退する構成である。
チューブ管２０は可撓性を備えた中空パイプ状の部材であって、一端はエルボ部材１９の接続部に、他端は操作部４に、それぞれ接続され、その内部にレリースワイヤ５を挿通させることで、レリースワイヤ５のガイドとして機能する。
【００２２】
上記した遠隔操作式排水栓装置のレリースワイヤは以下のようにして図１に示した浴槽など、槽体２を備えた排水機器に施工される。
まず、予め工場等において、アウターチューブ６にフランジ部７を圧入させ、インナーワイヤ８の端部にロッド部９を接続させる。次に、アウターチューブ６のフランジ部７にアウターエンド１０をインサート成形してアウターエンド１０とアウターチューブ６を回転可能に接続することが出来る。そして、ワイヤーカバー１４の雌ねじ１５とアウターエンド１０の雄ねじ１３を螺合固定させ、インナーワイヤ８が進退してもインナーワイヤ８が外部に露出して挫屈してしまうことがないようにする。
このような状態にレリースワイヤ５を構成した後、レリースワイヤ５を含む遠隔操作式排水栓装置の各部材を施工現場に納入する。
次に施工現場において、槽体２の底面に設けた開口を介して、排水栓１８とエルボ部材１９を接続し、槽体２底面に固定する。次に操作部４を槽体２のカウンターなど槽体２の近傍にとりつけ、更に操作部４とエルボ部材１９の接続部との間を、チューブ管２０を介して接続する。
次にレリースワイヤ５の一端を保持機構部に接続した上で、他端側を操作部４からチューブ管２０内を挿通させ、エルボ部材１９内に到達させる。この際、あらかじめ長さを調節しておき、レリースワイヤ５の一端がエルボ部材１９内に到達した時、操作部４内に保持機構部が収納固定されるようにする。
次に、レリースワイヤ５の端部を排水栓１８の排水口１内から引き上げる。更に、図４又は図５に示したように、ワイヤーカバー１４を利用してアウターチューブ６の端部を取付部１７の下端に接続固定すると共に、インナーワイヤ８のワイヤーカバー１４を取付部１７の内部に挿通させる。
更に取付部１７を排水栓１８内に固定させ、弁体３をインナーワイヤ８端部に接続固定して遠隔操作式排水栓装置の施工が完了する。
このとき、前記のように施工している最中にレリースワイヤ５に捻れなどの応力が加わっても、アウターエンド１０に対しアウターチューブ６は回転自在なため、レリースワイヤ５に無理な応力が加わることがないため、レリースワイヤ５が挫屈することがない。
【００２３】
このようにして施工された遠隔操作式排水栓装置のレリースワイヤ５は以下のように動作する。
まず操作部４に操作を加えて、排水栓１８が排水口１を閉口した状態とする。この時、操作部４に設けられた保持機構部はレリースワイヤ５中のインナーワイヤ８の動作を固定していないため、弁体３は自重によって降下し、図４に示したように排水口１を閉口している。
次に操作ボタンに操作を加えて保持機構部を作動させ、インナーワイヤ８が弁体３の方に突出した状態で固定させると、インナーワイヤ８が突出したことで、先端のロッド部９が上昇し、その先端に接続されている弁体３を持ち上げ、図５に示したように排水口１が開口される。
この状態より再度操作ボタンに操作を加えて、操作部４内の保持機構部のを作動させ、インナーワイヤ８の固定を解除すると、弁体３の自重が働いてインナーワイヤ８が後退し、弁体３が降下して、図４に示したように排水口１が閉口される。
以後この操作を繰り返すことで、排水口１の開閉を操作部４によって遠隔的且つ自在に操作することができる。
【００２４】
本発明の実施例は上記のようであるが、本発明は上記実施例に限定されることなく、発明の要旨を逸脱することない範囲において、自在に変更することができる。
例えば、図６に示したように、弁体３の直下位置に相当するレリースワイヤ５部分に、レリースワイヤ５の屈曲を規制する屈曲保護部１６を構成しても構わない。このようにすることで、弁体３の直下位置のレリースワイヤ５の屈曲部分の曲げ角度が鋭角であっても、屈曲保護部１６が構成されているため、レリースワイヤ５の曲げ角度がインナーワイヤ８が挫屈しない角度まで抑制されるため、レリースワイヤ５の曲げ角度を抑制することができる。従って、施工時のレリースワイヤ５の挫屈を防止することが出来る。
また、前記実施例では、アウターチューブ６のフランジ部７を圧入して構成しているが、これを図７に示したようにアウターチューブ６と一体的に構成しても構わない。
また、前記実施例では、係止部１２をアウターチューブ６とフランジ部７との圧入による拡径部分に係止させることでアウターチューブ６の抜けを防止しているが、図７に示したように、アウターエンド１０との接続は、インサート成形時に、フランジ部７に当接する、係止部１２としての食い込み部２２を構成し、アウターチューブ６に引っ張り応力が加わっても、食い込み部２２がフランジ部７に係止することでアウターチューブ６がアウターエンド１０から引き抜かれてしまうことなど発生しない。また、アウターチューブ６にキズなどが発生することもない。尚、この食い込み部２２は、アウターエンド１０とインサート成形できない場合については、食い込み部２２のみをアウターエンド１０に接着するなどして接続する構成とすれば問題ない。
また、屈曲保護部１６を別体や一体とする構成等が示されているが、これに換えて、例えばアウターチューブ６の外周に硬質のシール部材を添付する構成とすれば、同様の効果を得ることができる。
【図面の簡単な説明】
【００２５】
【図１】本発明の一部省略施工断面図である。
【図２】本発明のレリースワイヤの断面図である。。
【図３】本発明のレリースワイヤの一部拡大断面図である。
【図４】本発明の使用時の弁体が閉口時の部分拡大断面図である。
【図５】本発明の使用時の弁体が開校時の部分拡大断面図である。
【図６】その他の実施例を示す部分拡大断面図である。
【図７】その他の実施例を示すレリースワイヤの一部拡大断面図である。
【図８】従来例を示す一部省略施工断面図である。
【図９】従来例を示すレリースワイヤの断面図である。
【図１０】従来例を示すレリースワイヤの一部拡大断面図である。
【符号の説明】
【００２６】
１    排水口
２    槽体
３    弁体
４    操作部
５    レリースワイヤ
６    アウターチューブ
７    フランジ部
８    インナーワイヤ
９    ロッド部
１０  アウターエンド
１１  収納部
１２  係止部
１３  雄ねじ
１４  ワイヤーカバー
１５  雌ねじ
１６  屈曲保護部
１７  取付部
１８  排水栓
１９  エルボ部材
２０  チューブ管
２１  食い込み部
【図１】
2007204915.tif 000003
【図２】
2007204915.tif 000004
【図３】
2007204915.tif 000005
【図４】
2007204915.tif 000006
【図５】
2007204915.tif 000007
【図６】
2007204915.tif 000008
【図７】
2007204915.tif 000009
【図８】
2007204915.tif 000010
【図９】
2007204915.tif 000011
【図１０】
2007204915.tif 000012